(57)【要約】【課題】  雨水を素早く水路方向両端側へ流すことができ、排水能力が向上したコンクリート製溝蓋を提供する。【解決手段】  水路を形成する側溝本体上に覆設されるコンクリート製溝蓋１であって、このコンクリート製溝蓋１の表面には、水路に平行方向へ延びる溝２，２，２，２が複数凹設されているとともに、各溝２は、中央の中央山部２ａから両端側に向かって下傾した左傾斜底面２ｂ，右傾斜底面２ｃを備えている。【選択図】  図３
2005207160.tif 000002
【特許請求の範囲】
【請求項１】
水路を形成する側溝本体上に覆設されるコンクリート製溝蓋であって、該溝蓋の表面には、水路に平行方向へ延びる溝が複数凹設されているとともに、各溝は、中央から両端側に向かって下傾した傾斜底面を備えていることを特徴とするコンクリート製溝蓋。
【請求項２】
水路を形成する側溝本体上に覆設されるコンクリート製溝蓋であって、該溝蓋の表面には、水路に平行方向へ延びる溝が複数凹設されているとともに、各溝は、中央から両端側に向かって溝幅が次第に拡開された形状に形成されていることを特徴とするコンクリート製溝蓋。
【請求項３】
溝蓋の表面には、前記水路に平行方向に延びる溝とともに、該溝と直交状を成す直角方向溝が凹設されていることを特徴とする請求項１または請求項２に記載のコンクリート製溝蓋。
【発明の詳細な説明】
【技術分野】
【０００１】
本発明は、コンクリート製溝蓋に関するものである。
【背景技術】
【０００２】
従来、図２３の平面図で示すように、道路沿い等に設置されて、水路を形成する側溝本体５１上には、コンクリート製溝蓋５２，５２，５２が水路方向に沿って列設されている。
このコンクリート製溝蓋５２の縦断面図は図２４に示すが、従来のコンクリート製溝蓋５２は、その表面が平滑に形成されており、雨天の時に水は溝蓋５２の表面を覆って流れ、コンクリート製溝蓋５２に形成された切欠部５２ａから側溝本体５１内に流れ込む。
なお、従来では５ｍ間隔で側溝本体５１上に鋼製グレーチング５３を設けて排水を早める対策をとっている。なお、図２５はグレーチングの部分の縦断面構成図である。
なお更に、従来では特許文献１に開示されているように、溝蓋に多数の透孔を形成して排水性を向上させたものがある。
【特許文献１】特開２００２−０８８８９２号公報
【発明の開示】
【発明が解決しようとする課題】
【０００３】
従来の構造では、コンクリート製溝蓋５２の表面を覆うように雨水が流れることとなり、雨量の多い時等に素早く水を側溝本体５１内に導き水路に排水することができず、排水能力が不十分であるという問題点があった。
【課題を解決するための手段】
【０００４】
本発明は上記従来の問題点に鑑み案出したものであって、素早く水を排水することのできる排水能力の向上したコンクリート製溝蓋を提供せんとするものであり、請求項１は、水路を形成する側溝本体上に覆設されるコンクリート製溝蓋であって、該溝蓋の表面には、水路に平行方向へ延びる溝が複数凹設されているとともに、各溝は、中央から両端側に向かって下傾した傾斜底面を備えていることである。
【０００５】
また請求項２は、水路を形成する側溝本体上に覆設されるコンクリート製溝蓋であって、該溝蓋の表面には、水路に平行方向へ延びる溝が複数凹設されているとともに、各溝は、中央から両端側に向かって溝幅が次第に拡開された形状に形成されていることである。
【０００６】
また請求項３は、溝蓋の表面には、前記水路に平行方向に延びる溝とともに、該溝と直交状を成す直角方向溝が凹設されていることである。
【発明の効果】
【０００７】
本発明のコンクリート製溝蓋の表面には、水路に平行方向へ延びる溝が複数凹設されているとともに、各溝は、中央から両端側に向かって下傾した傾斜底面を備えていることにより、雨水はコンクリート製溝蓋の溝に流れ込み、この溝に形成されている傾斜底面にガイドされて、素早く両端側に導かれて排水されることとなり、排水能力が極めて向上したものとなる。
【０００８】
また、コンクリート製溝蓋の表面には、水路に平行方向へ延びる溝が複数凹設されているとともに、各溝は、中央から両端側に向かって溝幅が次第に拡開された形状に形成されていることにより、雨水は、両端側に向かって次第に拡開された溝幅を有する溝内を通って、両端側に素早く排水されることとなり、排水能力が極めて向上したものとなる。
【０００９】
また、溝蓋の表面には、水路に平行方向に延びる溝とともに、該溝と直交状を成す直角方向溝が凹設されていることにより、側方からの水が良好に直角方向溝を通り、水路に平行方向に延びる溝内に導かれて、素早く雨水をコンクリート製溝蓋の両端側に導いて水路に排水することができ、排水機能が向上したものとなる。
また、水路に平行方向の溝と直角方向の溝が形成されていることにより、滑り止め効果が得られるものとなる。
【実施例１】
【００１０】
以下、本発明の実施例を図面に基づいて説明する。
図１は、第１実施例のコンクリート製溝蓋の平面構成図であり、図２は、図１のＡ−Ａ線断面図であり、また図３は、コンクリート製溝蓋の斜視構成図である。
水路を形成する側溝本体５１上に覆設されるコンクリート製溝蓋１の表面には、水路に平行方向（長手方向）へ延びる溝２，２，２，２が、本例では幅方向に間隔をおいて４本形成されている。また、コンクリート製溝蓋１の左端面には切欠部１ａが形成されている。
各溝２は、断面台形状に形成されており、長手方向中央部には中央山部２ａが形成されて、この中央山部２ａから長手方向両端側に向かって下傾して、左傾斜底面２ｂと、右傾斜底面２ｃが形成されている。即ち、各溝２の中央部は浅く、これよりも両端方向に向かって次第に傾斜して溝２の深さが深くなるように設定されている。
なお、図４は、溝２の部分を長手方向に沿って縦方向に切断した斜視構成図である。
【００１１】
このように、コンクリート製溝蓋１の表面に複数形成された溝２，２，２，２は、それぞれ左傾斜底面２ｂ、及び右傾斜底面２ｃを備えて勾配を有するものであるため、コンクリート製溝蓋２上に流入する雨水は、中央山部２ａから左右の傾斜底面２ｂ，２ｃに沿って、両端側へ素早く流されることとなり、切欠部１ａから素早く側溝本体５１内の水路へ雨水を排水することができ、従来よりも排水機能が向上したものとなる。
【００１２】
なお、図５の斜視図で示すものは、各溝２を、上面が開口した半円形を成す断面形状に形成したものであり、図６には、溝の部分の断面斜視図を示す。
また図７は、各溝２を、三角形状の断面に形成したものであり、図８には、溝２の部分の断面斜視図を示す。
半円状断面のもの、三角形状断面のものにおいても、同様に、中央山部２ａから両端側に向かって左傾斜底面２ｂ及び右傾斜底面２ｃが傾斜状に形成されているため、雨水を素早く水路に平行方向（長手方向）両端側に導いて排水できるものとなる。
【実施例２】
【００１３】
次に、図９は、第２実施例のコンクリート製溝蓋の平面構成図を示し、図１０には、図９のＢ−Ｂ線断面図を示し、また図１１には、斜視構成図を示す。
本例では、コンクリート製溝蓋１の表面に、水路に平行方向（長手方向）に延びる複数の溝２，２，２，２が凹み状に凹設されているが、各溝２は、中央狭小部２ｄの部分が最も溝幅が狭く設定されており、この中央狭小部２ｄから両端側に向かって次第に溝幅が拡開されて、左拡開部２ｅと右拡開部２ｆが形成されている。
なお、図１１の溝２は、台形状断面に形成されたものであり、この溝の部分の断面斜視図を図１２に示す。
【００１４】
このように、本例では、中央狭小部２ｄから長手方向両端側に向かって、溝幅が次第に拡開された形状となっているため、雨水は、中央狭小部２ｄから良好に長手方向左右側の拡開部２ｅ，２ｆに導かれて、素早く長手方向両端側へ雨水を排水することができるものとなり、排水能力が向上したものとなる。
なお、図１３は、溝２の断面形状を半円形状にしたものであり、図１４には、溝の部分を断面化した斜視図を示す。また、図１５に溝の部分の断面斜視図で示すものは、溝の縦断面形状が三角形状のものである。
【実施例３】
【００１５】
次に、図１６の斜視図で示すものは、水路に平行方向（長手方向）へ延びる複数の溝２，２，２，２のそれぞれの形状を、前記実施例１と実施例２を合体させた形状に形成したものである。
即ち、各溝２の長手方向中央部には、溝幅が狭く、しかも深さの浅い中央狭小山部２ｇが形成されており、この中央狭小山部２ｇから長手方向両端側に向かって、次第に溝幅が拡開され、しかも底が両端側に向かって次第に下傾した左傾斜拡開部２ｈと、右傾斜拡開部２ｉが形成されたものである。
【００１６】
なお、図１６は、台形状の断面の溝２を示しており、図１７には、溝の部分の断面斜視図を示す。また図１８では、溝の断面形状が半円形状となっており、この溝の部分の断面は図１９の斜視図で示す。
また、図２０では、溝の断面形状が三角形状となっており、この溝の部分の断面斜視図を図２１に示す。
本例では、各溝２の長手方向中央部の中央狭小山部２ｇから、長手方向両端側に向かって、幅が広くなり、しかも傾斜した溝が形成されているため、雨水は、より素早く溝２内を長手方向両端側に向かって流されることとなり、雨水の排水能力がより向上したものとなる。
【００１７】
なお更には、図２２の斜視図で示すように、水路に平行方向（長手方向）へ延びる複数の溝２，２，２，２間に、直交状を成す直角方向溝３，３，３を凹み状に形成させて構成することもでき、この各直角方向溝３は、水路に平行方向（長手方向）に延びる溝２側へ向かって雨水を流し込むことのできる傾斜状の底面に形成しておけば、コンクリート製溝蓋１の幅方向側から流入する雨水が、直角方向溝３を通り、良好に水路に平行方向（長手方向）へ延びる溝２内に流入し、雨水を長手方向両端側へ素早く排水することができ、より排水能力が向上したものとなる。
しかも、図２２のような表面形状としておけば、表面が縦方向横方向の凹凸となるため、歩行時の滑り止め効果をも良好に発揮することができるものとなる。
【図面の簡単な説明】
【００１８】
【図１】第１実施例の台形状断面の溝を有するコンクリート製溝蓋の平面構成図である。
【図２】図１のＡ−Ａ線断面図である。
【図３】図１の斜視構成図である。
【図４】図１の溝の部分の断面斜視図である。
【図５】第１実施例の半円状断面を成す溝を形成したコンクリート製溝蓋の斜視構成図である。
【図６】図５の溝の部分の断面斜視構成図である。
【図７】第１実施例の三角形状断面の溝を有するコンクリート製溝蓋の斜視構成図である。
【図８】図７の溝の部分の断面斜視図である。
【図９】第２実施例の台形状断面を成す溝を備えたコンクリート製溝蓋の平面構成図である。
【図１０】図９のＢ−Ｂ線断面図である。
【図１１】図９の斜視構成図である。
【図１２】図１１の溝の部分の断面を示す斜視図である。
【図１３】第２実施例の半円形断面の溝を有するコンクリート製溝蓋の斜視構成図である。
【図１４】図１３の溝の部分の断面を示す斜視図である。
【図１５】第２実施例の三角形断面にした場合の溝の断面斜視図である。
【図１６】第３実施例の台形状断面の溝を有するコンクリート製溝蓋の斜視構成図である。
【図１７】図１６の溝の部分の断面斜視図である。
【図１８】第３実施例の半円状断面の溝を有するコンクリート製溝蓋の斜視構成図である。
【図１９】図１８の溝の部分の断面斜視図である。
【図２０】第３実施例の三角形状断面の溝を有するコンクリート製溝蓋の斜視構成図である。
【図２１】図２０の溝の部分の断面を示す斜視図である。
【図２２】更に、直角方向溝を形成した場合のコンクリート製溝蓋の斜視図である。
【図２３】従来のコンクリート製溝蓋の設置状態を示す平面構成図である。
【図２４】図２３のコンクリート製溝蓋の部分の縦断面図である。
【図２５】図２３のグレーチング部分の縦断面図である。
【符号の説明】
【００１９】
１  コンクリート製溝蓋
１ａ  切欠部
２  溝
２ａ  中央山部
２ｂ  左傾斜底面
２ｃ  右傾斜底面
２ｄ  中央狭小部
２ｅ  左拡開部
２ｆ  右拡開部
２ｇ  中央狭小山部
２ｈ  左傾斜拡開部
２ｉ  右傾斜拡開部
３  直角方向溝
５１  側溝本体
【図１】
2005207160.tif 000003
【図２】
2005207160.tif 000004
【図３】
2005207160.tif 000005
【図４】
2005207160.tif 000006
【図５】
2005207160.tif 000007
【図６】
2005207160.tif 000008
【図７】
2005207160.tif 000009
【図８】
2005207160.tif 000010
【図９】
2005207160.tif 000011
【図１０】
2005207160.tif 000012
【図１１】
2005207160.tif 000013
【図１２】
2005207160.tif 000014
【図１３】
2005207160.tif 000015
【図１４】
2005207160.tif 000016
【図１５】
2005207160.tif 000017
【図１６】
2005207160.tif 000018
【図１７】
2005207160.tif 000019
【図１８】
2005207160.tif 000020
【図１９】
2005207160.tif 000021
【図２０】
2005207160.tif 000022
【図２１】
2005207160.tif 000023
【図２２】
2005207160.tif 000024
【図２３】
2005207160.tif 000025
【図２４】
2005207160.tif 000026
【図２５】
2005207160.tif 000027